(57)【要約】      （修正有）【課題】１つ当たりのバッテリー重量を小さくすることができ、かつ振動によるバッテリーの電気的な接触不良を抑制することで、安定した起電力を確保することができる電動ハンドガイドローラーを提供する。【解決手段】装置本体１０に設けられたバッテリー収納箱２１と、バッテリー収納箱２１に着脱自在に収納され、かつ電気的に接続される複数の電池パック４とを備え、バッテリー収納箱２１は、電池パック４が挿入可能な開口部を有して電池パック４を保持する収納ケース２３と、開口部を塞ぐ蓋体２４とを有し、収納ケース２３に収納された複数の電池パック４は、挿入方向に重ならないように配列され、収納ケース２３に対して閉じた蓋体２４によって挿入方向に押圧された状態で保持された構成の電動ハンドガイドローラー。【選択図】図１
2019065458.tif 000002
【特許請求の範囲】
【請求項１】
電動駆動部によって振動と共に駆動されるローラーを有する装置本体と、前記装置本体に搭載され前記電動駆動部に電気を供給するバッテリーと、を備え、人力によって走行が操作される電動ハンドガイドローラーであって、
前記装置本体に設けられたバッテリー収納箱と、
前記バッテリー収納箱に着脱自在に収納され、かつ電気的に接続される複数のバッテリーと、
を備え、
前記バッテリー収納箱は、前記バッテリーが挿入可能な開口部を有して前記バッテリーを保持する収納ケースと、前記開口部を塞ぐ蓋体と、を有し、
前記収納ケースに収納された前記複数のバッテリーは、挿入方向に重ならないように配列され、前記収納ケースに対して閉じた前記蓋体によって前記挿入方向に押圧された状態で保持されていることを特徴とする電動ハンドガイドローラー。
【請求項２】
前記収納ケースと前記バッテリーとを電気的に接続するように位置決めする位置決め手段が設けられていることを特徴とする請求項１に記載の電動ハンドガイドローラー。
【請求項３】
前記収納ケースと前記蓋体との間には防水部材が設けられていることを特徴とする請求項１又は２に記載の電動ハンドガイドローラー。
【請求項４】
前記バッテリー収納箱は、前記装置本体に設けられる防振部材によって支持されていることを特徴とする請求項１乃至３のいずれか１項に記載の電動ハンドガイドローラー。
【請求項５】
前記バッテリーには、取っ手が設けられていることを特徴とする請求項１乃至４のいずれか１項に記載の電動ハンドガイドローラー。
【発明の詳細な説明】
【技術分野】
【０００１】
本発明は、電動ハンドガイドローラーに関する。
【背景技術】
【０００２】
従来、舗装道路の仕上げに用いられる締固め機械として、例えば特許文献１に示すように路面を転圧するローラーを備えたものが一般的に用いられている。一方で、手動で自走させることが可能なコンパクトなハンドガイドローラーのような締固め機械も知られている。このようなハンドガイドローラーでは、従来エンジン式で駆動しており、近年の地球温暖化などの環境問題や静粛性を追求した車両にするために、電池と電動モーターのシステムを搭載した車両が採用されている。
【先行技術文献】
【特許文献】
【０００３】
【特許文献１】特開平７−１１６０５号公報
【発明の概要】
【発明が解決しようとする課題】
【０００４】
上述したような従来の電動式のハンドガイドローラーに搭載されるバッテリーとしては、スペース的にも、車両の重量制限を超えないためにもリチウムイオン電池が最適である。しかしながら、リチウムイオン電池といえどもハンドガイドローラーを必要時間、稼働させるためのバッテリー容量をもつ電池を採用すると、人力で持てる重量である２０ｋｇを超えてしまう。また、長時間稼働する必要がある場合には、新しいバッテリーに交換する必要があるため、バッテリーをある程度の重量に分割して搭載し、人力で持つことが可能な重量のバッテリーにすることが求められていた。
また、バッテリーの交換を容易に行うためには、車体に対する着脱が容易にできる必要があるが、機械の性質上振動を伴うことから、電気的な接触部分の接触不良が発生し電気の供給不足が発生するという問題があり、その点で改善の余地があった。
【０００５】
本発明は、上記事情に鑑みてなされたものであり、１つ当たりのバッテリー重量を小さくすることができ、かつ振動によるバッテリーの電気的な接触不良を抑制することで、安定した起電力を確保することができる電動ハンドガイドローラーを提供することを目的とする。
【課題を解決するための手段】
【０００６】
上記目的を達成するため、本発明に係る電動ハンドガイドローラーは、電動駆動部によって振動と共に駆動されるローラーを有する装置本体と、前記装置本体に搭載され前記電動駆動部に電気を供給するバッテリーと、を備え、人力によって走行が操作される電動ハンドガイドローラーであって、前記装置本体に設けられたバッテリー収納箱と、前記バッテリー収納箱に着脱自在に収納され、かつ電気的に接続される複数のバッテリーと、を備え、前記バッテリー収納箱は、前記バッテリーが挿入可能な開口部を有して前記バッテリーを保持する収納ケースと、前記開口部を塞ぐ蓋体と、を有し、前記収納ケースに収納された前記複数のバッテリーは、挿入方向に重ならないように配列され、前記収納ケースに対して閉じた前記蓋体によって前記挿入方向に押圧された状態で保持されていることを特徴としている。
【０００７】
本発明の電動ハンドガイドローラーによれば、装置本体に設けられるバッテリー収納箱に複数のバッテリーを挿入する際には、蓋体を開けた収納ケースに開口部から各バッテリーを挿入し、それぞれのバッテリーを挿入方向と重ならない方向に配列した状態で配置する。そして、蓋体を閉じることで、これら複数のバッテリーがバッテリー収納箱に対して電気的に接続される。
このとき、電動ハンドガイドローラーでは、収納ケース内の複数のバッテリーが蓋体によって挿入方向に押圧された状態で保持されているので、装置本体のローラーの振動によって各バッテリーが暴れてずれたり動いたりすることを抑制することができる。そのため、ローラーの駆動中におけるバッテリーの電気的な接触不良を防止することができ、バッテリーの起電力を安定させることができる。
【０００８】
また、本発明では、上述したように複数のバッテリーに対して、電気的な接触不良が防止された状態で収容ケースに保持することができるので、１つ当たりのバッテリー重量を、人力により容易に持ち運びすることが可能な重量に小さく設定することができる。これによりバッテリーを容易に交換することができ、バッテリー交換作業の効率化を図ることができる。
【０００９】
また、本発明に係る電動ハンドガイドローラーは、前記収納ケースと前記バッテリーとを電気的に接続するように位置決めする位置決め手段が設けられていることが好ましい。
【００１０】
この場合には、収納ケースにバッテリーを挿入して収納位置に配置するときに、位置決め手段により収納ケースに対してバッテリーが電気的に接続された状態で位置決めされる。しかも、例えば位置決め手段として、例えば凹凸による嵌合構造とすることが可能となり、収納ケースとバッテリーとの双方の接続部分のずれや動きを抑えることができ、耐振動性が向上された構造となる。
また、位置決め手段を設けることで、位置決めの手間が不要となり、バッテリーの交換にかかる作業性を向上させることができる。
【００１１】
また、本発明に係る電動ハンドガイドローラーは、前記収納ケースと前記蓋体との間には防水部材が設けられていることが好ましい。
【００１２】
このような構成とすることで、蓋体を閉じた状態において、複数のバッテリーが収容されるバッテリー収納箱内を防水することができる。
【００１３】
また、本発明に係る電動ハンドガイドローラーは、前記バッテリー収納箱は、前記装置本体に設けられる防振部材によって支持されていることが好ましい。
【００１４】
この場合には、装置本体からバッテリー収納箱に伝達される振動を防振部材によって小さくできることから、収納ケースとバッテリーとの双方の接続部分のずれや動きを抑えることができ、耐振動性が向上された構造となる。
【００１５】
また、本発明に係る電動ハンドガイドローラーは、前記バッテリーには、取っ手が設けられていることを特徴としてもよい。
【００１６】
この場合には、バッテリーの取っ手を把持してバッテリー収納箱に対してバッテリーの挿入出を容易に行うことができ、バッテリー交換にかかる作業効率を高めることができる。
【発明の効果】
【００１７】
本発明の電動ハンドガイドローラーによれば、１つ当たりのバッテリー重量を小さくすることができ、かつ振動によるバッテリーの電気的な接触不良を抑制することで、安定した起電力を確保することができる。
【図面の簡単な説明】
【００１８】
【図１】本発明の実施の形態による電動ハンドガイドローラーの構成を示す一部破断した側面図である。
【図２】電動ハンドガイドローラーの概略構成を示す上方から見た平面図である。
【図３】電動ハンドガイドローラーを前方から見た正面図である。
【図４】バッテリー装置の取付け構造を左右方向から見た側面図である。
【図５】バッテリー装置において蓋体を開けた状態の斜視図である。
【図６】バッテリー収納箱の収納ケースを上方から見た図である。
【図７】電池パックの構成を示す斜視図である。
【発明を実施するための形態】
【００１９】
以下、本発明により電動ハンドガイドローラーの実施の形態について、図面を参照して説明する。
【００２０】
図１に示すように、本実施の形態の電動ハンドガイドローラー１は、舗装道路の仕上げの際に、路面を振動させつつ転圧するローラーを備え、人力によって走行が操作されるハンド操作式の締固め機械である。
【００２１】
電動ハンドガイドローラー１は、電動駆動部１２によって駆動される一対のローラー１１を有する装置本体１０と、装置本体１０に搭載され電動駆動部１２に電気を供給するバッテリー装置２と、装置本体１０を進行を操作するためのハンドル部３と、を備えている。
ここで、以下の説明において、前後方向Ｘ１とは、電動ハンドガイドローラー１の進行方向に対する前後方向を意味する。また左右方向Ｘ２とは、水平面内で前後方向Ｘ１に直交する方向をいう。
【００２２】
図１及び図２に示すように、装置本体１０は、前後方向Ｘ１に設けられる一対のローラー１１と、ローラー１１に駆動力を付与する電動駆動部１２と、ローラー１１を回転可能に支持するとともにと、電動駆動部１２及びバッテリー装置２を支持する車体フレーム１３と、ローラー１１に振動を与える振動装置１４と、車体フレーム１３に支持され電動駆動部１２及びバッテリー装置２を覆う外装カバー１５と、を備えている。
【００２３】
図２に示すように、電動駆動部１２は、電動モーター１２１と、電動モーター１２１に接続されローラー１１を回転駆動させる動力となる油圧ポンプ１２２と、油圧ポンプ１２２の回転軸１２２ａに設けられた電磁クラッチ１２３と、バッテリー装置２に電気的に接続され、その起電力を各電気機器に向けて出力するコントローラ１２４と、を備えている。
振動装置１４は、振動軸１４ａが電磁クラッチ１２３を介して油圧ポンプ１２２の回転軸１２２ａに伝達可能に設けられており、電磁クラッチ１２３の切り替えによって、振動装置１４で発生される振動がローラー１１に伝達される。
油圧ポンプ１２２の下側には、ローラー１１の回転方向を切り換えるためのレバー（図示省略）が設けられている。このレバーは、後述するハンドル部３に設けられる前後進切換レバー３７の操作によって切り換え可能になっている。
【００２４】
図３に示すように、車体フレーム１３は、架台１３１と、架台１３１の前端および両側端から上方に延在する側壁１３２と、架台１３１の上方部分で水平方向に延びるベース部１３３と、を有している。架台１３１は、一対のローラー１１を回転可能に支持する剛構造となっている。ベース部１３３の上面の前部には、バッテリー装置２を配置するためのバッテリー設置部１７が設けられている。
【００２５】
車体フレーム１３において、側壁１３２の内面とベース部１３３の側面との間に第１防振ゴム１６が介在されている。そのため、振動装置１４及びローラー１１からベース部１３３に伝達される振動は第１防振ゴム１６によって小さく抑えられている。
【００２６】
車体フレーム１３の後部には、図１に示すように、ハンドル部３が連結部３１を介して連結されている。連結部３１は、ハンドル部３を車体フレーム１３に対して左右方向Ｘ２を中心軸として上下（矢印Ｅ方向）に回動可能に連結する。
ハンドル部３は、一方向に延びる長尺のハンドル本体３２と、ハンドル本体３２の連結部３１と反対側の後部に設けられた操作部３３と、を有している。操作部３３には、電源スイッチ３４と、モーターの回転数を変える操作レバー３５と、ローラー１１の回転方向を切換えることで前進・後進を切り換える前後進切換レバー３７と、が設けられている。
【００２７】
操作レバー３５は、電動駆動部１２のコントローラ１２４にポテンショメータ１２５を介して接続されている。すなわち、運転者は、操作部３３を把持して操作することにより、電動ハンドガイドローラー１を前後方向Ｘ１及び左右方向Ｘ２に移動させることができる。また、ハンドル部３の装置本体１０に対する連結角度を上向きに変えることで、ハンドル部３を収納姿勢にすることができる。
【００２８】
操作部３３には、図２に示すように、操作パネル３６が設けられており、適宜な操作情報を表示し、バッテリー装置２の後述する電池パック４のバッテリーの充電量（電池残量）が表示されていてもよい。
【００２９】
外装カバー１５は、図１に示すように、天壁１５１と、天壁１５１の外周縁から下方に延びる側壁１５２を有する有頂筒状をなし、車体フレーム１３の上方を覆うように取り付けられている（図３参照）。外装カバー１５は、車体フレーム１３の前端に開閉可能に支持されている。
【００３０】
バッテリー設置部１７は、図４に示すように、バッテリー装置２を下方から支持するバッテリー受台１７１と、バッテリー受台１７１の下面に取り付けられた防振保持板１７２と、防振保持板１７２とベース部１３３との間に介在された第２防振ゴム１８と、を有している。
バッテリー受台１７１は、底板１７１ａと、底板１７１ａの周縁から上方に向けて突設される側板１７１ｂと、からなる。底板１７１ａはバッテリー装置２を下方から支持し、側板１７１ｂでバッテリー装置２の横方向の移動を防止する。
防振保持板１７２は、バッテリー受台１７１よりも下方に位置するように底板１７１ａに取り付けられ、底板１７１ａとの間のスペースを使用してボルト等の固定部材１８ａで第２防振ゴム１８（防振部材）を上側から固定している。
【００３１】
図５に示すように、バッテリー装置２は、装置本体１０に設けられた立方体形状のバッテリー収納箱２１と、バッテリー収納箱２１に着脱自在に収納され、かつ電気的に接続される複数（本実施の形態では４つ）の電池パック４（バッテリー）と、を備えている。
【００３２】
バッテリー収納箱２１は、電池パック４が挿入可能な開口部２３ａを有して電池パック４を保持する収納ケース２３と、開口部２３ａを塞ぐ蓋体２４と、を有している。
収納ケース２３は、図４に示すように、ベース部１３３に固定されるバッテリー受台１７１に嵌合された状態で取り付けられている。なお、収納ケース２３はバッテリー受台１７１に対して、ボルトやねじ等の固定手段によって固定されていてもよいし、非固定状態であってもよい。
【００３３】
収納ケース２３は、図５に示すように、上面視で矩形状の底壁２３１と、底壁２３１の外周縁から上方に向けて延びる側壁２３２と、から構成され、側壁２３２の上端が前記開口部２３ａとなっている。収納ケース２３は、４つの電池パック４を一方向（ここでは左右方向Ｘ２）に配列した状態で収容可能な収容空間を有している。すなわち、収納ケース２３に収納された４つの電池パック４は、開口部２３ａからの挿入方向（上下方向に相当）に重ならない方向に配列され、収納ケース２３に対して閉じた蓋体２４によって挿入方向に押圧された状態で保持されている。
【００３４】
本実施の形態の区画領域２３Ａ〜２３Ｄに収納される４つの電池パック４は、収納ケース２３の側壁２３２の内面に接した状態で配置されるとともに、左右方向Ｘ２に隣接するもの同士が接した状態で配置されるので、横方向の振動に対しても収納ケース２３内で電池パック４がずれたり動くことを防止できる構成となっている。
【００３５】
また、収納ケース２３の側壁２３２の上端には、全周にわたって例えばゴム製のパッキン２８（防水部材）が固着されている。
【００３６】
底壁２３１の上面には、図６に示すように、左右方向Ｘ２に隣接した状態で配列される４つの電池パック４のそれぞれに対応する区画領域２３Ａ〜２３Ｄが設定されている。各区画領域２３Ａ〜２３Ｄには、電池パック４を位置合わせするための複数（ここでは４つ）の突出ピン２５（位置決め手段）と、図７に示す電池パック４の底面４ａに設けられる第２接続端子４１と電気的に接続する第１接続端子２６と、が設けられている。区画領域２３Ａ〜２３Ｄにおける第１接続端子２６は、それぞれ収納ケース２３の側壁２３２に設けられた出力端子２７に繋がっており、この出力端子２７から電動駆動部１２のコントローラ１２４に接続配線１２６（図２参照）を介して接続されている。
【００３７】
突出ピン２５には、電池パック４の底面４ａに形成されている凹部４２が嵌合可能になっている。位置決め手段を構成する収納ケース２３の突出ピン２５と電池パック４の凹部４２とが嵌合したときに、収納ケース２３の第１接続端子２６と電池パック４の第２接続端子４１とが電気的に接続される構成となっている。
【００３８】
図５に示すように、蓋体２４は、平板形状をなしており、装置本体１０に取り付けられている収納ケース２３の側壁２３２の前端部に回動自在に支持されている。蓋体２４は、収納ケース２３の開口部２３ａを閉じた状態で、収納ケース２３の上端（パッキン２８）に対して上方から当接する。そして、蓋体２４の自由端には、不図示の係止金具が設けられており、この係止金具を収納ケース２３の後側の側壁２３２に係止することで蓋体２４が閉止状態で固定される。
蓋体２４の裏面２４ａにおける前後方向Ｘ１の中央部分には、左右方向Ｘ２に延びる押さえ凸部２９が形成されている。この押さえ凸部２９は、蓋体２４を閉じた状態で、収納ケース２３内に収納された４つ全ての電池パック４の上面４ｃを下方に向けて押圧する。つまり、蓋体２４を閉じたときには、収納ケース２３内の電池パック４は蓋体２４と底壁２３１とに挟持された状態で保持されている。
【００３９】
電池パック４は、図７に示すように、所定の厚みを有する箱状に形成され、厚み方向に直交する側面４ｂ、４ｂを上下方向に向けた状態で、図６に示す収納ケース２３の各区画領域２３Ａ〜２３Ｄに収納される。上述したように電池パック４の底面４ａには、区画領域２３Ａ〜２３Ｄに設けられている第１接続端子２６と突出ピン２５のそれぞれに対応する位置に第２接続端子４１と凹部４２（位置決め手段）が設けられている。
そして、電池パック４の上面４ｃには、持ち運び用の取っ手４３が設けられている。
【００４０】
電池パック４としては、鉛蓄電池やニッケル水素電池に比べてエネルギー密度及び起電力が高いという特徴を有し、小型化及び軽量化されたリチウムイオン二次電池が採用されている。例えば、１つの電池パック４として、５ｋｇの重量のものを採用することができる。
【００４１】
このように構成されるバッテリー装置２では、図５に示すように、複数の電池パック４がバッテリー収納箱２１に収納された状態で、各電池パック４から放電される電気が出力端子２７から図２に示す電動駆動部１２に電気的に接続されている。
【００４２】
上記説明したように、本実施の形態の電動ハンドガイドローラー１では、図１及び図５に示すように、装置本体１０に設けられるバッテリー収納箱２１に複数の電池パック４を挿入する際には、蓋体２４を開けた収納ケース２３に開口部２３ａから各電池パック４を挿入し、それぞれの電池パック４を挿入方向と重ならない方向に配列した状態で配置する。そして、蓋体２４を閉じることで、これら複数の電池パック４がバッテリー収納箱２１に対して電気的に接続される。
このとき、電動ハンドガイドローラー１では、収納ケース２３内の複数の電池パック４が蓋体２４によって挿入方向に押圧された状態で保持されているので、装置本体１０のローラー１１の振動によって各電池パック４が暴れてずれたり動いたりすることを抑制することができる。そのため、ローラー１１の駆動中における電池パック４の電気的な接触不良を防止することができ、電池パック４の起電力を安定させることができる。
【００４３】
また、本実施の形態では、複数の電池パック４に対して、電気的な接触不良が防止された状態で収容ケース２３に保持することができるので、１つ当たりのバッテリー重量を、人力により容易に持ち運びすることが可能な重量（例えば、５ｋｇ程度）に小さく設定することができる。これにより電池パック４を容易に交換することができ、電池パック４の交換作業の効率化を図ることができる。
【００４４】
また、本実施の形態では、図６及び図７に示すように、収納ケース２３に開口部２３ａから電池パック４を挿入し、収納ケース２３の収納位置（区画領域２３Ａ〜２３Ｄ）に配置するときに、収納ケース２３の突出ピン２５に電池パック４の凹部４２を嵌合させる位置決め手段により収納ケース２３に対して電池パック４が電気的に接続された状態で位置決めされる。しかも、本実施の形態では、位置決め手段が凹凸による嵌合構造となるため、収納ケース２３と電池パック４との双方の接続部分のずれや動きを抑えることができ、耐振動性が向上された構造となる。
また、位置決め手段を設けることで、位置決めの手間が不要となり、電池パック４の交換にかかる作業性を向上させることができる。
【００４５】
また、本実施の形態では、図５に示すように、収納ケース２３と蓋体２４との間にはパッキン２８が設けられているので、蓋体２４を閉じた状態において、複数の電池パック４が収容されるバッテリー収納箱２１内を防水することができる。
【００４６】
また、本実施の形態では、図４に示すように、装置本体１０からバッテリー収納箱２１に伝達される振動を第２防振ゴム１８によって小さくできることから、収納ケース２３と電池パック４との双方の接続部分のずれや動きを抑えることができ、耐振動性が向上された構造となる。
【００４７】
また、本実施の形態では、図７に示すように、電池パック４に取っ手４３が設けられているので、電池パック４の取っ手４３を把持してバッテリー収納箱２１に対して電池パック４の挿入出を容易に行うことができ、電池パック４の交換にかかる作業効率を高めることができる。
【００４８】
さらに、本実施の形態では、振動による電池パック４の電気的な接触不良を抑制することで、安定した起電力を確保することができる。
【００４９】
さらにまた、本実施の形態では電池パック４として小型で軽量なリチウムイオン二次電池を採用しているので、バッテリー収納箱２１に対する電池パック４の交換作業にかかる手間と時間を低減することができる。しかも装置本体１０の重量も低減できることから、電動ハンドガイドローラー１の操作性を向上させることができる。
【００５０】
以上、本発明による電動ハンドガイドローラーの実施の形態について説明したが、本発明は上記の実施の形態に限定されるものではなく、その趣旨を逸脱しない範囲で適宜変更可能である。
【００５１】
例えば、本実施の形態では、バッテリー装置２において収納ケース２３の上部が開口部２３ａとなって、電池パック４の挿入方向が上方から下方に挿入する方向としているが、挿入方向（電池パック４の出し入れ方向）は上下方向であることに限定されることはない。例えば、上下方向に複数の電池パック４を配列して収納される収納ケースであって、各電池パック４を横方向から挿入するような構成とすることも可能である。この場合、上下方向に電池パック４毎の仕切りを設け、電池パック４同士が直接、積み重ならない状態にしておくことができる。要は、収納ケース２３に収納された複数の電池パック４が挿入方向に重ならないように配列され、収納ケース２３に対して閉じた蓋体２４によって挿入方向に押圧された状態で保持されていればよいのである。
【００５２】
また、本実施の形態では、収納ケース２３に４つの電池パック４が収納された構成としているが、電池パック４の数量は複数であればよく、４つであることに制限されることはない。
【００５３】
さらに、本実施の形態では、収納ケース２３と電池パック４とを電気的に接続するように位置決めする位置決め手段が設けられているが、これを省略することも可能である。また、上述した実施の形態のような収納ケース２３の突出ピン２５と電池パック４の凹部４２による嵌合を位置決め手段としているが、突出ピンが電池パック４に設けられ、凹部が収納ケース２３に設けられていてもよいし、他の構成の位置決め手段であってもかまわない。例えば、収納ケースに、電池パック４を挿入方向に案内する案内ガイドを設けるようにしてもよい。
【００５４】
また、本実施の形態では、収納ケース２３と蓋体２４との間に防水部材であるパッキン２８を設ける構成としているが、パッキン２８が蓋体２４に設けられていてもよい。そして、収納ケース２３と蓋体２４とが液密または気密な状態で密接して閉止される場合や、バッテリー収納箱２１に防水機能が不要な場合には、双方間に設けられる防水部材を省略することも可能である。
【００５５】
また、本実施の形態では、バッテリー収納箱２１が装置本体１０に設けられる第２防振ゴム１８（防振部材）によって支持されているが、このような防振部材を省略してもよい。
【００５６】
さらに、電池パック４の形状、大きさ、充電容量等の構成は、上述した実施の形態に限定されることはなく、適宜設定することができる。そして、電池パック４に取っ手４３が設けられているが、この取っ手４３を省略することも可能である。
【００５７】
さらにまた、装置本体１０、ハンドル部３の形状、大きさ、駆動部の構造等についても上述した実施の形態に限定されることはなく、適宜、設定することが可能である。
【００５８】
その他、本発明の趣旨を逸脱しない範囲で、上記した実施の形態における構成要素を周知の構成要素に置き換えることは適宜可能である。
【符号の説明】
【００５９】
１  電動ハンドガイドローラー
２  バッテリー装置
３  ハンドル部
４  電池パック（バッテリー）
１０  装置本体
１１  ローラー
１２  電動駆動部
１３  車体フレーム
１５  外装カバー
１６  第１防振ゴム
１７  バッテリー設置部
１８  第２防振ゴム（防振部材）
２１  バッテリー収納箱
２３  収納ケース
２３ａ  開口部
２４  蓋体
２５  突出ピン（位置決め手段）
２８  パッキン（防水部材）
２９  押さえ凸部
４２  凹部（位置決め手段）
４３  取っ手
Ｘ１  前後方向
Ｘ２  左右方向
【図１】
2019065458.tif 000003
【図２】
2019065458.tif 000004
【図３】
2019065458.tif 000005
【図４】
2019065458.tif 000006
【図５】
2019065458.tif 000007
【図６】
2019065458.tif 000008
【図７】
2019065458.tif 000009